(57)【要約】【課題】曲げ損失を低減して伝送品質を劣化させることなく心線対照が可能な心線対照用光検出装置を提供する。【解決手段】光ファイバ３を湾曲させて光ファイバ心線に入射された心線対照用光信号を光ファイバ３心線外へ放射させ、光ファイバ３心線外へ放射された心線対照用光信号を検出する心線対照用光検出装置において、所定の湾曲形状を有する湾曲部１１ａを備えた挟持押部１１と、挟持押部１１に嵌合可能に形成され、挟持押部１１との間に光ファイバ３を挟持して光ファイバ３に所定の湾曲を付与する挟持受け部１２，１３とから構成される光ファイバ曲げ部材１を備え、挟持受け部１２，１３は、少なくとも光ファイバ曲げ部材１によって光ファイバ３から放射される心線対照用光信号の光路上に位置する部分が光ファイバ３の被覆とほぼ等しい屈折率を有する透過性の部材からなる心線対照用光検出装置。【選択図】図１
2008051735.tif 000002
【特許請求の範囲】
【請求項１】
光ファイバ心線に入射された心線対照用光信号を、光ファイバを湾曲させて光ファイバ心線外へ放射させ、光ファイバ心線外へ放射された前記心線対照用光信号を検出する心線対照用光検出装置であって、
所定の湾曲形状を有する湾曲部を備えた挟持押部と、前記挟持押部に嵌合可能に形成され、前記挟持押部との間に前記光ファイバを挟持して前記光ファイバに所定の湾曲を付与する挟持受け部とから構成される光ファイバ湾曲手段を備え、
前記湾曲手段は、前記湾曲手段に挟持される前記光ファイバに、前記湾曲手段を挟んで一方から前記心線対照用光信号を入射した場合と、他方から前記心線対照用光信号を入射した場合とで、前記光ファイバ心線外へ放射され、検出される前記心線対照用光信号の量が異なるように、前記光ファイバを光の伝搬方向に対して非対称に湾曲させる
ことを特徴とする心線対照用光検出装置。
【請求項２】
光ファイバ心線に入射された心線対照用光信号を、光ファイバを湾曲させて光ファイバ心線外へ放射させ、光ファイバ心線外へ放射された前記心線対照用光信号を検出する心線対照用光検出装置であって、
所定の湾曲形状を有する湾曲部を備えた挟持押部と、前記挟持押部に嵌合可能に形成され、前記挟持押部との間に前記光ファイバを挟持して前記光ファイバに所定の湾曲を付与する挟持受け部とから構成される光ファイバ湾曲手段を備え、
前記挟持受け部は、少なくとも前記湾曲手段によって前記光ファイバから放射される前記心線対照用光信号の光路上に位置する部分が前記光ファイバの被覆とほぼ等しい屈折率を有する透過性の部材からなる
ことを特徴とする心線対照用光検出装置。
【請求項３】
前記挟持受け部は、前記光ファイバ心線外へ放射され前記挟持受け部の内部を透過した前記心線対照光信号が前記挟持受け部の外部へ向けて放射される前記挟持受け部の表面に、前記心線対照光信号を散乱させる凹凸部を有する
ことを特徴とする請求項２記載の心線対照用光検出装置。
【請求項４】
前記湾曲手段は、前記湾曲手段に挟持される前記光ファイバに、前記湾曲手段を挟んで一方から前記心線対照用光信号を入射した場合と、他方から前記心線対照用光信号を入射した場合とで、前記光ファイバ心線外へ放射され、検出される前記心線対照用光信号の量が異なるように、前記光ファイバを光の伝搬方向に対して非対称に湾曲させる
ことを特徴とする請求項２又は請求項３記載の心線対照用光検出装置。
【請求項５】
前記放射された心線対照用光信号を検出する対照用光信号検出部を備えた
ことを特徴とする請求項１乃至請求項４のいずれかに記載の心線対照用光検出装置。
【請求項６】
前記放射された心線対照用光信号を目視可能に構成した
ことを特徴とする請求項１乃至請求項４のいずれかに記載の心線対照用光検出装置。
【発明の詳細な説明】
【技術分野】
【０００１】
本発明は、光ファイバケーブル網の建設・保守に使用される心線対照用光検出装置に関する。
【背景技術】
【０００２】
光ファイバ通信網の建設・保守にあたっては、作業現場においてマンホール内（クロージャ）や構内（キャビネット）の光ファイバを特定する必要がある。即ち、光ファイバ通信網の建設・保守を行う際には、複数の光ファイバの中から作業を行う１本の光ファイバを選択し、この光ファイバを特定する作業を行う。この作業を心線対照と呼ぶ。
【０００３】
以下、図５及び図６に基づいて心線対照用光検出装置を用いた通常実施される心線対照の一例を説明する。図５は心線対照の一例を模式的に示す説明図、図６は従来の心線対照用光検出装置の構成例を示す説明図である。
【０００４】
図５に示すように、対照を必要とする光ファイバ３は、下部側（図５中、右側）に光ファイバ曲げ部材１及び受光器２からなる心線対照用光検出装置が設置され、上部側（図５中、左側）に光カプラやビームスプリッタ等の光分岐結合器５を介して心線対照光源４が接続されている。
【０００５】
光ファイバ曲げ部材１は、図６に示すようにスライド可能に形成された挟持押部０１と、挟持押部０１との間に光ファイバ３を挟持する挟持受け部０２，０３とから構成されている。挟持押部０１には、弧状に形成された一つの凸部と、凸部の両側に滑らかに繋がる二つの凹部とからなる湾曲部０１ａが形成されている。挟持受け部０２，０３はそれぞれ湾曲部０１ａに嵌合可能に形成されている。挟持受け部０２，０３間には窓０４としての孔が設けられ、この窓０４に対向する位置に受光器２が配置されている。
【０００６】
心線対照は、心線対照光源４から光分岐結合器５を介して光ファイバ３に心線対照光（以下、対照光と呼ぶ）を入射し、光ファイバ曲げ部材１によって光ファイバ３に曲げを加えることにより対照光を光ファイバ３の側面から放射させ、これを受光器２で検出する構成となっている。
【０００７】
従来、上述した心線対照方法をサービス心線に適用する場合、通信品質を劣化させずに対照を行うため、長波長側の光ほど漏洩しやすいという特徴を利用し、通信波長として用いられる１．３１μｍ／１．５５μｍに対してそれらより長波長側の１．６μｍ帯を対照光として使用している。このような技術の詳細は特許文献１にも記載されている。
【０００８】
【特許文献１】特開平６−２２１９５８号公報
【発明の開示】
【発明が解決しようとする課題】
【０００９】
しかしながら、今日、中継系はもとよりアクセス系においてもまた、サービスの高度化に伴って大容量の情報を安価に提供するため、１本の光ファイバに数十波を波長多重した光通信方式が検討されている。この方式では通常Ｌバンド（１．５６５〜１．６２５μｍ）が通信波長として用いられているため、光ファイバの曲げ部の曲率半径が小さく（例えば、１０ｍｍ）、曲げ長が長い従来の図５及び図６に示した心線対照用光検出装置、又は特許文献１に記載された心線対照用光検出装置を用いて心線対照を行う場合には、通信波長として１．６μｍ帯を用いると曲げ損失が大きくなり、ひいては伝送特性を劣化させる虞があるという問題があった。
【００１０】
このような問題を解決するためには、光ファイバの曲げ部の曲率半径を大きくする、曲げ長、即ち、湾曲部分の長さを短くする等により曲げ損失を低減することも考えられるが、このような構成とすると対照光の放射パワーも低減してしまい、心線対照光源４から遠く離れた作業現場では心線対照を確実に行うことが困難であった。
【００１１】
即ち、Ｌバンドを用いた通信サービスにおいて心線対照を行う際、従来の心線対照用光検出装置を用いると曲げ損失が大きくなり、ひいては伝送品質を劣化させる虞があるため、サービス心線の心線対照を行うことができないという問題があった。
【００１２】
本発明は上述した問題を解決するものであって、光ファイバの曲げ部からの対照光を効率よく放射させ、受光器への対照光パワーを増加させることによって、光ファイバの曲げ部の曲率半径を大きく、あるいは光ファイバの曲げ部における曲げ長を短くし、Ｌバンド通信光の曲げ損失を低減してＬバンド通信光を用いたサービスにおいても伝送品質を劣化させることなく心線対照が可能となる心線対照用光検出装置を提供することを目的とする。
【課題を解決するための手段】
【００１３】
上記の目的を達成するための本発明の第１の発明に係る心線対照用光検出装置は、光ファイバ心線に入射された心線対照用光信号を、光ファイバを湾曲させて光ファイバ心線外へ放射させ、光ファイバ心線外へ放射された前記心線対照用光信号を検出する心線対照用光検出装置であって、所定の湾曲形状を有する湾曲部を備えた挟持押部と、前記挟持押部に嵌合可能に形成され、前記挟持押部との間に前記光ファイバを挟持して前記光ファイバに所定の湾曲を付与する挟持受け部とから構成される光ファイバ湾曲手段を備え、前記湾曲手段は、前記湾曲手段に挟持される前記光ファイバに、前記湾曲手段を挟んで一方から前記心線対照用光信号を入射した場合と、他方から前記心線対照用光信号を入射した場合とで、前記光ファイバ心線外へ放射され、検出される前記心線対照用光信号の量が異なるように、前記光ファイバを光の伝搬方向に対して非対称に湾曲させることを特徴とする。
【００１４】
上記の目的を達成するための本発明の第２の発明に係る心線対照用光検出装置は、光ファイバを湾曲させて光ファイバ心線に入射された心線対照用光信号を光ファイバ心線外へ放射させ、光ファイバ心線外へ放射された前記心線対照用光信号を検出する心線対照用光検出装置であって、所定の湾曲形状を有する湾曲部を備えた挟持押部と、前記挟持押部に嵌合可能に形成され、前記挟持押部との間に前記光ファイバを挟持して前記光ファイバに所定の湾曲を付与する挟持受け部とから構成される光ファイバ湾曲手段を備え、前記挟持受け部は、少なくとも前記湾曲手段によって前記光ファイバから放射される前記心線対照用光信号の光路上に位置する部分が前記光ファイバの被覆とほぼ等しい屈折率を有する透過性の部材からなることを特徴とする。ここで、「光ファイバの被覆とほぼ等しい屈折率」とは、光ファイバの被覆との境界面において該被覆から挟持受け部側に心線対照用光信号を透過可能な範囲の屈折率をいうものとする。
【００１５】
上記の目的を達成するための本発明の第３の発明に係る心線対照用光検出装置は、第２の発明において、前記挟持受け部は、前記光ファイバ心線外へ放射され前記挟持受け部の内部を透過した前記心線対照光信号が前記挟持受け部の外部へ向けて放射される前記挟持受け部の表面に、前記心線対照光信号を散乱させる凹凸部を有することを特徴とする。
【００１６】
上記の目的を達成するための本発明の第４の発明に係る心線対照用光検出装置は、第２又は第３の発明において、前記湾曲手段は、前記湾曲手段に挟持される前記光ファイバに、前記湾曲手段を挟んで一方から前記心線対照用光信号を入射した場合と、他方から前記心線対照用光信号を入射した場合とで、前記光ファイバ心線外へ放射され、検出される前記心線対照用光信号の量が異なるように、前記光ファイバを光の伝搬方向に対して非対称に湾曲させることを特徴とする。
【００１７】
上記の目的を達成するための本発明の第５の発明に係る心線対照用光検出装置は、第１乃至第４のいずれかの発明において、前記放射された心線対照用光信号を検出する対照用光信号検出部を備えたことを特徴とする。
【００１８】
上記の目的を達成するための本発明の第６の発明に係る心線対照用光検出装置は、第１乃至第４のいずれかの発明において、前記放射された心線対照用光信号を目視可能に構成したことを特徴とする。
【発明の効果】
【００１９】
上述した本発明に係る心線対照用光検出装置によれば、光ファイバから漏れる心線対照用光信号を効率よく検出することができる。また、光ファイバから漏れる心線対照用光信号を効率よく放射させ、受光器への対照光パワーを増加させて対照光の検出感度を向上させることが可能となる。その結果、光ファイバの曲げ部における挟持押部の曲率半径を拡大する、また、曲げ長を短くすることができるため、Ｌバンド通信光の曲げ損失を低減することが可能となる。
【００２０】
更に、対照光パワーの増加によりＬバンド通信光に対する曲げ損失の低減が可能となるため、Ｌバンドを用いる波長多重通信などの伝送品質を劣化させることなく心線対照作業を遂行することができる。
【発明を実施するための最良の形態】
【００２１】
以下に本発明の実施形態を説明する。本実施形態に係る心線対照用光検出装置は、心線対照用光信号（以下、対照光という）を送信する光源と、光ファイバを湾曲させる光ファイバ湾曲手段と、光ファイバ湾曲手段によって湾曲した光ファイバの曲げ部から漏れた光を受光する対照用光信号検出部としての受光器とから構成され、光ファイバの片端から対照光を入射し、光ファイバの曲げ部の側面から放射される対照光、即ち漏洩光を受光器で検知することにより心線を特定するものである。
【００２２】
光ファイバ湾曲手段は、光ファイバを弧状に曲げるための挟持押部と、挟持押部に沿って湾曲する光ファイバを挟持押部との間で挟んで保持する挟持受け部とから構成されるものであって、挟持受け部は、その全体もしくは受光器近傍に位置する一部であって、少なくとも光ファイバ湾曲手段によって光ファイバから放射される対照光の光路上に位置する部分が光ファイバ乃至光ファイバ被覆と同一又は同程度の屈折率を有するとともに、光ファイバ心線外へ放射され挟持受け部の内部を透過した対照光が挟持受け部の外部へ向けて放射される挟持受け部の表面、例えば、挟持受け部の受光器側の端面に対照光を散乱させる微細な凹凸部を有するものとする。
【００２３】
次に、図７に基づいて本実施形態による作用効果を説明する。図７は、光ファイバを伝搬する対照光が、光ファイバに与えられた曲げにより各層の境界面で透過又は反射される様子を幾何光学的に示したものである。
【００２４】
図７に示すように、屈折率ｎ1のコア３ａ、屈折率ｎ2のクラッド３ｂ、及び屈折率ｎ3の被覆３ｃから構成される光ファイバ３にあっては、直線領域のコア３ａ内を伝搬モードで反射してきた図７中実線の矢印で示す対照光は、曲げを与えられることによって、コア３ａ、クラッド層３ｂ、被覆３ｃ及び屈折率ｎ4の空気層で形成される各境界面で臨界角を越えると、例えば、図７中、点Ａ、点Ｂ、点Ｃに示すように、その一部がコア３ａからクラッド層３ｂへ、クラッド層３ｂから被覆３ｃへ、被覆３ｃから被覆３ｃ外部へと透過され最終的に受光器２で検出される。
【００２５】
通常、対照光が被覆３ｃ外部へ放射されるのは、光ファイバ３の曲率半径が３００μｍより小さい場合であるが、実際にはそのような曲げ半径とすることは困難であることから、受光器２において検出される放射光は、被覆３ｃ表面の粗さ（ミクロンオーダの小さな凹凸）又はミクロンオーダの局所的な曲げにより、臨界角を越えて放射された対照光であると考えられる。
【００２６】
従って、対照光の放射パワーを増加させるには、被覆３ｃから被覆３ｃ外部へ入射する対照光の入射角φを臨界角以下にして、対照光を被覆３ｃから外部へ透過させる構成とすることが有効である。具体的には、被覆３ｃの屈折率ｎ3（＝１．５）と同じ屈折率ｎ＝ｎ3を有する放射補助部材６を被覆３ｃに密着させ、被覆３ｃと放射補助部材６との境界面における対照光の反射を低減させ、該対照光を放射補助部材６側に透過させる構成とすることが望ましい。
【００２７】
このような構成とすれば、透過光は放射補助部材６側へ直進し（φ＝ξ）、更に、放射補助部材６の受光器２側の表面を例えばミクロンオーダの細かな凹凸６ａを有する等の粗い形状とすることにより、放射光が臨界角を超えて放射補助部材６の表面から空気層へと散乱しやすくなる。
【００２８】
本実施形態は挟持受け部として上述した放射補助部材６を適用するものであって、挟持受け部の全体もしくは受光器の近傍に位置する一部分が光ファイバの被覆３ｃと同程度の屈折率を有し、かつ、挟持受け部の受光器側の端面に細かな凹凸形状を有する構成とすることで、光ファイバ３から漏れる対照光を効率よく放射させ、受光器２への対照光パワーを増加させるものである。
【００２９】
本実施例によれば、対照光パワーの増加により従来と比較して光ファイバ３の曲げ部における挟持押部の曲率半径を拡大すること、あるいは曲げ長を短くすることができるため、Ｌバンド通信光の曲げ損失を抑制することが可能となり、Ｌバンドを用いる波長多重通信などの伝送品質を劣化させることなく心線対照作業を遂行することができる。
【実施例１】
【００３０】
図１に基づいて本発明の第１の実施例を詳細に説明する。図１は、本実施例に係る心線対照用光検出装置を示す模式図である。本実施例は光ファイバに対称な曲げを付与して心線対照を行う対称両曲げの一例である。なお、図１は光ファイバ曲げ部材１によって光ファイバ３を挟持する前の状態を示している。
【００３１】
図１に示すように、本実施例に係る心線対照用光検出装置において、心線対照器は光ファイバ３を弧状に湾曲させる光ファイバ湾曲手段としての光ファイバ曲げ部材１と、対照光を検知する対照用光信号検出部としての受光器２とから構成されている。
【００３２】
光ファイバ曲げ部材１は、スライド自在に形成されるとともに弧状に形成された一つの凸部と、凸部の両側に滑らかに繋がる二つの凹部とからなる湾曲部１１ａを備えた挟持押部１１と、それぞれ湾曲部１１ａに嵌合可能に形成され、窓１４を挟んで隣設された挟持受け部１２，１３とから構成されている。
【００３３】
挟持押部１１は、湾曲部１１ａの凸部の頂点を基準として光の伝搬方向に線対称な形状を有し、例えば、凸部の曲げ半径は１０ｍｍであり、湾曲部１１ａには光ファイバ３をガイドするための溝（図示省略）が形成されている。
【００３４】
挟持受け部１２，１３は、互いに光ファイバ３における光の伝搬方向に対して前後に配置され、その全体が光ファイバ３の被覆の屈折率ｎ3（＝１．５）と同一の屈折率又は同程度の屈折率ｎ（＝１．４〜１．６）を有する透過性の部材から構成されているものである。更に、挟持受け部１２，１３の受光器２側の端面１２ａ，１３ａには、それぞれ光ファイバ３の曲げ部から漏れた対照光を散乱させる凹凸部が形成されているものとする。
【００３５】
また、受光器２は挟持受け部１２，１３の底部近傍、例えば、挟持押部１１の凸部の頂点に対向する位置であって、挟持押部１１の挟持受け部１２，１３を挟んで反対側に配置されているものとする。なお、受光器２はその受光面が光ファイバ３の接線方向とほぼ平行になる角度に設置されている。
【００３６】
次に、上述した光ファイバ曲げ部材１１の動作について説明する。光ファイバ曲げ部材１は、例えば図１中、左から右へ対照光が送信されている光ファイバ３を挟持押部１１と、挟持受け部１２，１３との間に配置し、挟持押部１１を光ファイバ３側へスライドさせて該光ファイバ３を挟持受け部１２，１３に押し付けることで光ファイバ３を挟持し、光ファイバ３に所定量の曲げを付与する。
【００３７】
このようにして光ファイバ曲げ部材１１によって曲げられた光ファイバ３は挟持受け部１２，１３に密着した状態となるため、光ファイバ３の曲げ部において図７に示したようにコア層３ａからクラッド層３ｂ、被覆３ｃへと透過した対照光は、挟持受け部１２，１３を介して空気中に放射しやすくなる。この結果、受光器２によって検知される対照光量を増加させること、即ち、対照光の検出感度を向上させることが可能になる。なお、整合剤を塗布して光ファイバ３と、挟持受け部１２，１３との間の密着状態を更に向上させる構成とすれば、より好適である。
【００３８】
更に、本実施例では、光ファイバ３に与える湾曲を線対称としたため、図１に矢印で示したような図１中の左右いずれの方向から入射した対照光も、等しく高感度に検出することができる。
【００３９】
以上のことから、本実施例に係る心線対照用光検出装置によれば上述した光ファイバ曲げ部材１を用いることによって、Ｌバンドで通信している光ファイバに対し、従来と比較して対照光の伝送品質への影響を抑制し、かつ、確実に心線対照を行うことが可能となった。
【００４０】
なお、本実施例においては、光ファイバ３に対照光を入射する心線対照光源として可視光（例えば、波長０．６５μｍ程度）を出射する可視光光源を適用することができる。この場合、心線対照用光検出装置を、窓１４等の光検出部を透明部材で覆う、あるいは露出させる等、装置外から直接目視できる構成とすることによって、光ファイバ３の側面から漏れる可視光である対照光を目視で確認することも可能となる。また、挟持受け部１２，１３に、対照光（例えば、赤外光）に反応して発光する周知の材料を塗布し、装置外から目視で対照光を確認できる構成としてもよい。これらの場合、受光器２は省略しても構わない。これは、以下に説明する実施例２〜４においても同様である。
【００４１】
また、本実施例では、光ファイバ心線外へ放射された対照光（漏れ光）を、光ファイバ被覆から直接、空間に放射させるための穴である窓１４を設けている。しかし、本実施例では、挟持受け部１２，１３が対照光に対して透過性を有しているため、このような窓１４は省略しても構わない。
【実施例２】
【００４２】
図２に基づいて本発明の第２の実施例を説明する。図２は光ファイバを左右非対称に湾曲させる非対称両曲げの一例である。なお、図２は光ファイバ曲げ部材１によって光ファイバ３を挟持する前の状態を示している。
【００４３】
本実施例は上述した実施例１における挟持押部１１及び挟持受け部１３の形状を変形した例である。具体的には、図２に示すように挟持受け部１２に対向する挟持押部２１の端面２１ａ（図２中左側）は図１に示した挟持押部１１と同一形状とする一方、挟持受け部２３及び挟持受け部２３に対向する挟持押部２１の端面２１ｂ（図２中右側）をほぼ直線形状としたものである。
【００４４】
即ち、本実施例において光ファイバ３は、一方（図２中左側）から対照光が入射された場合と、他方（図２中右側）から対照光が入射された場合とで、光ファイバ心線外へ放射され、受光器２によって検出される対照光の量が異なるように、光ファイバ曲げ部材１によって光の伝搬方向に対して非対称な曲げを付与されている。
【００４５】
なお、挟持受け部１２，２３は、少なくとも光ファイバ曲げ部材１によって光ファイバ３から放射される対照光の光路上に位置する部分が光ファイバ３の被覆と同一又は同程度の屈折率を有する透過性の部材から構成されているものとし、更に、挟持受け部１２，２３は、受光器２側の表面１２ａ，２３ａにそれぞれ対照光を散乱させる凹凸部を備えているものとする。その他の構成は上述した実施例１と同様であって、上述した説明と重複する説明は省略する。
【００４６】
本実施例によれば、図２中、左側から対照光が入射されたときには受光器２へ向かって放射される光の強度は比較的強いが、図２中、右側から対照光が入射されたときには受光器２へ向かって放射される光の強度は比較的弱くなる。
【００４７】
従って、光ファイバの左右を入れ替えて計２回受光器２へ向かって放射される対照光を測定し、それぞれの測定で検出された対照光の強度を比較することにより、実施例１の、いずれの方向から入射した対照光も検出する効果に代えて、図２中の左右いずれの方向から対照光が入射されたかを検知することができるという効果が得られる。
【００４８】
なお、図２では、光ファイバ心線外へ放射された対照光（漏れ光）を、光ファイバ被覆から直接、空間に放射させるための穴である窓１４を設けている。しかし、本実施例では、部材１２，１３が対照光に対して透過性を有しているため、このような窓１４は省略しても構わない。
【実施例３】
【００４９】
図３に基づいて本発明の第３の実施例を説明する。図３に示すように、本実施例は、上述した実施例１における挟持受け部１２，１３を一体化して挟持受け部３２としたものである。言い換えると、実施例１における心線対照用光検出装置において、窓１４を省略した例である。図３は光ファイバ曲げ部材１によって光ファイバ３を挟持する前の状態を示している。
【００５０】
なお、挟持受け部３２は、少なくとも光ファイバ曲げ部材１によって光ファイバ３から放射される対照光の光路上に位置する部分が光ファイバ３の被覆と同一又は同程度の屈折率を有する透過性の部材から構成されているものとし、更に、受光器２側の表面３２ａに対照光を散乱させる凹凸部を備えている。その他の構成は実施例１と同様であり、重複する説明は省略する。
【００５１】
本実施例によれば、上述した実施例１と概ね同様の効果を得ることができる。
【実施例４】
【００５２】
図４に基づいて本発明の第４の実施例を説明する。図４は、光ファイバ曲げ部材１により光ファイバ３を、一方（図４中、受光器２より左側）のみを湾曲させ、他方（図４中、受光器２より右側）を直線状とする片曲げの一例である。なお、図４は光ファイバ曲げ部材１によって光ファイバ３を挟持する前の状態を示している。
【００５３】
図４に示すように、挟持押部４１と挟持受け部４２とは略同形状に形成され、更に、挟持受け部４２の受光器２側の端面４２ａには対照光を散乱させる凹凸部が形成されている。なお、挟持受け部４２は、少なくとも光ファイバ曲げ部材１によって光ファイバ３から放射される対照光の光路上に位置する部分が光ファイバ３の被覆と同一又は同程度の屈折率を有する透過性の部材から構成されているものとする。
【００５４】
本実施例によれば、対照光が左の方向から光ファイバ３に入射されたときは光ファイバ３の側面から受光器２へ向かって放射される対照光の強度は比較的強いが、対照光が右の方向から光ファイバ３に入射されたときは光ファイバ３の側面から受光部２へ向かって放射される光はほとんどなくなる。
【００５５】
従って、左右いずれの方向から対照光が入射されたかを上述した実施例２に比べてより高感度に検出することができるという効果を奏する。また、光ファイバの湾曲部分の長さが短くなるので、通信光の曲げ損失を低減することができる。
【００５６】
以上、実施例１〜実施例４に説明したように、本発明によれば、挟持受け部の全体もしくは受光器の近傍に位置する一部を、光ファイバの被覆と同程度の屈折率を有し、かつ、挟持受け部の受光器側の端面に細かな凹凸形状を有する構成とすることで、光ファイバから漏れる対照光を効率よく放射させ、受光器への対照光パワーを増加させられる。その結果、従来と比較して、光ファイバの曲げ部における挟持押部の曲率半径を拡大する、あるいは曲げ長を短くすることができるため、Ｌバンド通信光の曲げ損失を低減することができる。
【００５７】
これにより、従来の心線対照用光検出装置と比較して曲げ損失を低減しながら光ファイバから漏れる対照光を効率よく放射させ、受光器への光量を増加させることができるため、Ｌバンドの通信サービスにおいても、伝送品質に影響のない心線対照作業が実現できる。
【００５８】
また、本発明はＬバンドにとどまらず一般的に従来の心線対照用光検出装置より対照光の受光効率を向上させ、曲げ損失を小さくしているためサービス提供中の心線対照作業の信頼性も向上することが期待できる。
【産業上の利用可能性】
【００５９】
本発明は、光ファイバケーブル網の建設・保守に使用される心線対照用光検出装置に利用可能である。
【図面の簡単な説明】
【００６０】
【図１】本発明の実施例１に係る心線対照用光検出装置を示す正面図である。
【図２】本発明の実施例２に係る心線対照用光検出装置を示す正面図である。
【図３】本発明の実施例３に係る心線対照用光検出装置を示す正面図である。
【図４】本発明の実施例４に係る心線対照用光検出装置を示す正面図である。
【図５】心線対照方法の一例を示す構成図である。
【図６】従来の光ファイバ曲げ部材の構造を示す正面図である。
【図７】心線対照光の放射モデルを示す説明図である。
【符号の説明】
【００６１】
１  光ファイバ曲げ部材
２  受光器
３  光ファイバ
４  心線対照光源
５  光分岐結合器
６  放射補助部材
１１，２１，４１  挟持押部
１１ａ，２１ａ，２１ｂ  湾曲部
１２，１３，２３，３２，４２  挟持受け部
１２ａ、１３ａ，２３ａ，３２ａ，４２ａ  挟持受け部端面
【図１】
2008051735.tif 000003
【図２】
2008051735.tif 000004
【図３】
2008051735.tif 000005
【図４】
2008051735.tif 000006
【図５】
2008051735.tif 000007
【図６】
2008051735.tif 000008
【図７】
2008051735.tif 000009